(57)【特許請求の範囲】
【請求項１】
トップシートとバックシートの間に吸収性コアを有し着用者の少なくとも股部を覆うように配置される吸収体と、
吸収性コアより側方に延びる少なくともバックシートにより形成された一対のサイドフラップと、
吸収体のトップシートに近い吸収体側で吸収体の長手方向に沿ってサイドフラップより内側でトップシートに延びる立上がりバリヤカフとサイドフラップの長手方向に沿ってサイドフラップの側縁からさらに外側に延び着用者の脚部を囲む伸縮性脚カフとを有しサイドフラップに結合された脚カフスと、
サイドフラップの脚カフスが結合される部位に設けられた弾性体とを有することを特徴とする脚閉鎖部を有する吸収性製品。
【請求項２】
吸収性製品がおしめであることを特徴とする請求項１に記載の脚閉鎖部を有する吸収性製品。
【請求項３】
伸縮性脚カフのサイドフラップの側縁からさらに外側に延びる幅は、子供用で２．５ｍｍ〜５０ｍｍ、大人用で４ｍｍ〜９０ｍｍであることを特徴とする請求項２に記載の脚閉鎖部を有する吸収性製品。
【請求項４】
伸縮性脚カフは、不透液性材料で形成されることを特徴とする請求項１に記載の脚閉鎖部を有する吸収性製品。
【請求項５】
サイドフラップの長手方向に同じ側に位置するサイドパネル同士が互いに接合されることを特徴とする請求項１に記載の脚閉鎖部を有する吸収性製品。
【発明の詳細な説明】
【０００１】
【産業上の利用分野】
本発明は、特に、着用者に快適性を与えながら、着用者の脚部に動的フィットし脚部からの液洩れを確実に防ぐ脚閉鎖部を有する吸収性製品に関する。
【０００２】
【従来の技術】
着用者に当接または近接して配置されて着用者の排泄物を吸収し収容する、脚閉鎖部を有する吸収性製品として、たとえば、おしめ、失禁ブリーフ、パンツ型おしめ、おしめホルダーなどの製品がある。
【０００３】
使い捨ておしめや失禁ブリーフのような脚閉鎖部を有する吸収性製品の主たる機能は、着用者から排泄される排泄物を吸収性コアにより吸収し、吸収性コアに収容された排泄物により衣類または着用者と接触する他の製品、たとえば、寝具を汚したり、濡らしたりすることを防止することにある。
【０００４】
一般に使用されている使い捨ておしめは、トップシートとバックシートと吸収性コアとからなる吸収体と、弾性脚開口を形成するためにおしめの長手方向側縁縁に隣接して配置された一般に非伸縮性のバックシートと非伸縮性のトップシートとからなるサイドフラップとから構成されている。弾性サイドフラップは、おしめの縁から衣類へ液体を通さないバリヤを形成し、かつ、着用者の脚回りのシールを保持しギャップを最小限にするので、濡れたおしめからおしめの縁に接触する衣類に液体が滲透したり溢れ出ることを防ぐのに有効である。このサイドフラップには、着用者の脚周り方向に弾性を示すように弾性バンドを配置したものもある。
【０００５】
一方、トレーニングパンツのようなパンツ型おしめが、特に、子供のトイレ訓練用に普及しているが、従来のトレーニングパンツは、トレーニングパンツのウエスト開口および脚開口に線状の弾性バンドを取付け、各開口を弾性バンドで少なくとも部分的に囲むことにより、ウエスト開口および脚開口に伸縮性を付与するものである。
【０００６】
パンツ型おしめの他の型は、前ウエスト区域と後ウエスト区域中の各サイドフラップの縁に別の伸縮部材を取付けることによってウエスト開口に伸縮性を付与している。伸縮性サイドパネルは、パンツ型おしめを形成するために有効であるが、広い範囲の動的フィットを保持するためには広い伸縮サイドパネルが必要であることが分かっている。
【０００７】
【発明が解決しようとする課題】
上記後者の脚閉鎖部を有する吸収性製品では、伸縮性サイドパネルをサイドフラップの縁に取付けたり、伸縮性サイドパネルをサイドフラップに組合わせなければならない。したがって、脚開口回りに有効なガスケット作用を生じさせしかも腰周りにおける広い動的フィットを得るためには、伸縮性サイドパネルの幅とサイドフラップの幅を相互に平衡されなければならない。
【０００８】
しかしながら、伸縮性サイドパネルの幅（取付け部を除く実質的に伸張可能な部分）を広くとろうとすると、十分にガスケット作用を生じさせるたけ、サイドフラップの幅を広くとることができず、逆にサイドフラップの幅を広くとろうとすると、十分に動的フィットを得るだけ、伸縮性サイドパネルの幅を広くとることができないという矛盾があった。したがって、伸縮性サイドパネルとサイドフラップの間の平衡幅を最大限にすることによって、伸縮性サイドパネルとサイドフラップの機能を最大限にすることに問題があった。
【０００９】
本発明は上記した点に鑑みてなされたもので、腰周りにおける広い動的フィットを確保できるとともに、脚回りからの液漏れを防ぐ脚閉鎖部を有する吸収性製品を提供することを目的とする。
【００１０】
【課題を解決するための手段】
本発明の脚閉鎖部を有する吸収性製品は、トップシートとバックシートの間に吸収性コアを有し着用者の少なくとも股部を覆うように配置される吸収体と、吸収性コアより側方に延びる少なくともバックシートにより形成された一対のサイドフラップと、吸収体のトップシートに近い吸収体側で吸収体の長手方向に沿ってサイドフラップより内側でトップシートに延びる立上がりバリヤカフとサイドフラップの長手方向に沿ってサイドフラップの側縁からさらに外側に延び着用者の脚部を囲む伸縮性脚カフとを有しサイドフラップに結合された脚カフスと、サイドフラップの脚カフスが結合される部位に設けられた弾性体とから構成される。
【００１１】
【作用】
本発明の脚閉鎖部を有する吸収性製品では、吸収体の側方に設けられたサイドフラップと、サイドフラップの側縁からさらに外側に設けた伸縮性脚カフが着用者の脚回りに幅広く密着するので、着用者の脚回りにおける吸収性製品とのギャップが少なくなり、濡れた吸収性製品から吸収性製品の縁に接触する衣類に液体が滲透したり溢れ出ることを確実に防ぐことができる。また、サイドフラップ部分を広く形成する必要がなく、このサイドフラップに取付けられる伸縮可能なサイドパネルの有効幅を広くすることができるので、腰周りにおける広い動的フィットを確保することができる。
【００１２】
【実施例】
以下本発明の実施例を図面につき説明する。
図１は、本発明の吸収性製品を使い捨てパンツ型おしめに適用した例を示す図であり、図２は、図１の使い捨てパンツ型おしめ１の前部２ａと後部２ｃをサイドシーム６によって接合する以前の一部を破断して示す図である。
【００１３】
図１の使い捨てパンツ型おしめ１は、前部２ａと股部２ｂと後部２ｃとからなり、全体形状を、長方形、砂時計型、Ｔ型、非対称形、好ましくは対称的な変形砂時計状とした吸収体２と、この吸収体２の前部２ａと後部２ｃから外側に延びる一対の伸縮性サイドパネル３，３と、脚開口４の回りに配置される脚カフス５を有し、吸収体２から同じ側に延びる伸縮性サイドパネル３，３を、たとえばヒートシール手段による形成されるサイドシーム６により互いに接合することで形成される。
【００１４】
上記吸収体２は、図３に示すように、透液性トップシート７と吸収性コア８と不透液性バックシート９から形成される。トップシート７とバックシート９は、吸収性コア８よりも全体として大きな長さと幅であり、吸収性コア８の縁８ａを越えて外側に延び、少なくとも股部分２ｂにバックシート９とトップシート７の延長部分によりサイドフラップ１０が形成される。このサイドフラップ１０のトップシート７より側方に延びるバックシート９にはサイドフラップ１０に伸縮性を付与するための弾性体３０が配置されている。
【００１５】
上記吸収性コア８は、着用者の皮膚に対して非刺激性でかつ尿やその他の排泄物の液体を吸収して保持する機能を有するものであり、一般に、エアフェルトと呼ばれる粉砕木材バルプなどから製造される。この吸収性コア８は、他の適当な吸収性材料、たとえば、クレープされたセルロース中芯、コンフォームを含むメルトブローンポリマー、化学的に硬化され変成されあるいは架橋結合されたセルロース繊維、ティシュラップおよびティシュラミネートを含むティシュ、吸収性フォーム、吸収性スポンジ、超吸収性ポリマー、吸収性ゲル化材、または同等の材料あるいはそれらの組み合わせであってもよい。吸収性コア８の形状および構造は、必要に応じて変えることができるが、吸収性コア８の全吸収容量は、おしめとしての設計装入量および所望の用途に対応させる必要がある。吸収性コア８のサイズと吸収能力は、子供から成人までの着用者に対応して変動される。
【００１６】
上記バックシート９は、不透液性（例えば尿に対して不透液性）であって、好ましくは、薄いプラスチックフィルムから製造され、吸収性コア８の衣類面に隣接して配置され、公知の取付け手段（図示されず）によって吸収性コア８に接合される。たとえば、バックシート９は、接着剤の均一連続層や接着剤のパタン層、あるいは、接着剤の線、螺旋またはスポットの列によって吸収性コア８に固着される。
【００１７】
上記バックシート９は、吸収性コア８に吸収され収容された排泄物がおしめに接触する物品、たとえば、ベッドシートや下着類を濡らすことを防止する。したがって、バックシート９は、織布または不織布材料、ポリエチレンまたはポリプロピレンの熱可塑性フィルムなどのポリマーフィルム、またはフィルムで被覆された不織布などの複合材料とすることができる。好ましくは、バックシート９は、約０．０１２ｍｍ乃至約０．０５１ｍｍの厚さの熱可塑性フィルムである。バックシート９は、好ましくは布様外観を生じるようにエンボス処理されまたは艶消し処理される。さらに、バックシート９は、排泄物の通過を防止しながら吸収性コア８からの水蒸気を逃がすことのできる材料とすることが望ましい。
【００１８】
上記トップシート７は、たとえば、多孔性フォーム、網状フォーム、孔を開けたプラスチックフィルムまたは天然繊維（たとえば木材繊維または綿繊維）、合成繊維（ポリエステル繊維またはポリプロピレン繊維）あるいは天然繊維と合成繊維を混合した織布または不織布から形成される。好ましくは、トップシート７は、吸収性コア８に収容された液体を着用者の皮膚から離間するために疎水性材料とする。このトップシート７は、吸収性コア８の身体側面に隣接して配置され、公知の取付け手段（図示されず）によって吸収性コア８およびバックシート９に接合される。トップシート７は、形状合致性で、柔らかな感触で、着用者の皮膚に対して非刺激性であり、液体（例えば尿）に対して透過性である。適当なトップシート７は、繊維をスパンボンディッド、カーディッド、ウエットレイドした不織布ウエブである。好ましいトップシート７は、ポリプロピレン繊維のステープルをカード機械によりカーディング処理したあと加熱結合処理したウエブである。
【００１９】
上記脚カフス５は、ポリプロピレン、ポリエステル、レーヨン、ナイロン、フォーム、プラスチックフィルム、形成フィルム、弾性ラミネートおよび弾性フォームなどの各種材料から形成された着用者の形状と輪郭に容易に合致する可撓性部材である。この脚カフス５を製造するために種々の製造技術を使用することができる。たとえば、脚カフス５は、ポリプロピレン材料の織布、不織布、スパンボンディッドウエブ、カーディッドウエブに不透液性ポリエチレンフィルムを接合した材料でもよい。
【００２０】
上記脚カフス５は、立上がりバリヤカフ１１と伸縮性脚カフ１２とから構成される。立上がりバリヤカフ１１は、トップシート７に沿った排泄物の自由流れを阻止するバリヤとして作用し、おしめ１の中に排泄物を保持し収容する構造であり、伸縮性脚カフ１２は、着用者の脚部に動的フィットし、立上がりバリヤカフ１１を越える排泄物の自由流を抑制し、排泄物をおしめ１の中に保持し収容して着用者の脚回りにガスケット作用を生じる構造である。
【００２１】
上記伸縮性脚カフ１２は、図３に示すように折り返し部分１３を有し、この折り返し部分１３に１つまたは複数の弾性部材１４（図３では２本）が配置されている。この伸縮性脚カフ１２は、折り返し部分１３がサイドフラップ１０から離れた外側に位置し、内側端１５がトップシート７の上側に位置するように配置される。伸縮性脚カフ１２の折り返し部分１３と内側端１５は相互に離間関係にあり、各伸縮性脚カフ１２の有効幅を決定する。折り返し部分１３と内側端１５は、好ましくは、平行で直線的に離間されるか、非平行、直線または曲線関係であってもよい。各伸縮性脚カフ１２は円形、正方形、長方形またはその他の種々の断面形状であってもよい。伸縮性脚カフ１２の有効幅は、おしめ１からの排泄物の漏れ量を減少させる重要なパラメータである。
【００２２】
伸縮性脚カフ１２の有効幅は、サイドフラップ１０の側縁５０から外方に突出する伸縮性脚カフ１２の先端まで間の幅であり、図３中において幅Ｗとして示されている。この有効幅Ｗは、おしめが子供用である時には、２．５ｍｍ〜５０ｍｍであることが好ましく、さらに好ましくは５ｍｍ〜３５ｍｍである。伸縮性脚カフ１２の有効幅Ｗが２．５ｍｍより小さいと、着用者の脚と折り返し部分１３との間にギャップが形成され、排泄物が折り返し部分１３を越えておしめ１の外周まで流れてしまうことがある。また、伸縮性脚カフ１２の有効幅Ｗが５０ｍｍより大きいと、脚開口４を十分に確保できず、おむつを着用させることが困難になる。さらに、伸縮性脚カフ１２の有効幅Ｗは、おしめが大人用である時には、４ｍｍ〜９０ｍｍであることが好ましく、さらに好ましくは８ｍｍ〜５０ｍｍである。
【００２３】
伸縮性脚カフ１２の折り返し部分１３は、サイドフラップ１０から離間されるように少なくとも股部分においてはおしめ側に固着されないことが好ましい。伸縮性脚カフ１２は、着用者に対して容易に接触させられ着用者の臀部回りにピッタリフィットして股部分において固定配置されるように、折り返し部分１３がサイドフラップ１０から離間される。
【００２４】
伸縮性脚カフ１２の折り返し部分１３と着用者の脚との間にギャップが形成されることを防止し、また、排泄物の流れに対して有効なバリヤをなすように、伸縮性カフ１２の折り返し部分１３はおしめ１の前部２ａと後部２ｃにおいて内側端１５の外側に配置されることが好ましい。おしめ１の前部２ａと後部２ｃにおいては、折り返し部分１３は、反転しないようにサイドパネル３に固定することがこのましい。しかしながら、折り返し部分１３をサイドパネル３に固定してしまうと、伸縮性脚カフ１２が不織布等の素材から形成されている場合には、この部分がサイドパネル３の伸縮方向に伸縮することができない。したがって、その結果、サイドパネル３の伸縮幅が減少してしまうことになりかねない。
【００２５】
そこで、図７に示すように、この折り返し部分１３と平行に一部分においてサイドパネル３と伸縮性脚カフ１２を固定するために、固定部５２を設ける。この固定手段には、超音波接合、感圧／加熱接合、接合パタンを用いたシール、または接着剤など業界公知の任意固着手段、好ましくは、ホットメルト接着剤からなる接着剤ビードが用いられる。このように折り返し部分１３と平行に一部分においてサイドパネル３と伸縮性脚カフ１２を固定した後、少なくとも図７の一点鎖線で示す領域に伸縮化処理を施す。これによって、この部分の伸縮性脚カフ１２もサイドパネル３と同方向に伸縮可能となるため、サイドパネル３としては、十分な伸縮幅を得ることできる。伸縮化処理の方法としては、公知のリングロールを用いた伸縮化方法が適用可能である。
【００２６】
伸縮性脚カフ１２の折り返し部分１３の端部は、図２と図４に示すように、おしめ１の前部２ａと後部２ｃにおいて相互に平行にまたおしめの長手方向に平行に配置される。これが望ましい実施態様であるが、折り返し部分１３の端部は、相互に向かって傾斜してもよく、特に、伸縮性脚カフ１２が延伸性の少ない材料から形成されている場合には、折り返し部分１３の端部を相互に近づくように配置することができる。
【００２７】
図１に示すおしめ１においては、各伸縮性脚カフ１２は、サイドフラップ１０に接合されている。ここで接合とは、おしめに対して伸縮性脚カフ１２を固着する任意手段を含み、伸縮性脚カフ１２がサイドフラップ１０に対して直接または間接に固着された別個の部材である実施態様、または、伸縮性脚カフ１２が立ち上がりバリヤカフ１１と同一の部材または材料からなる。伸縮性カフ１２は、おしめのバックシート９、トップシート７またはその他の要素の組合せに接合することができる。好ましい実施態様においては、伸縮性脚カフ１２は、サイドフラップ１０（またはサイドフラップ１０をなすトップシート７とバックシート９の部分）に接着剤などのシール手段によって接合される。伸縮性脚カフ１２と立ち上がりバリヤカフ１１は同一材料によって形成されることが好ましく、この材料は疎水性ポリプロピレンカーディッド不織布である。
【００２８】
伸縮性脚カフ１２の折り返し部分１３には、伸縮性脚カフ１２に伸縮性を付与するための１つまたは複数の弾性部材１４が配置されている。この弾性部材１４は、折り返し部分１３の端部をサイドフラップ１０から離間させ、伸縮性脚カフ１２を立ち上がらせて着用者に着用しやすくしまた着用者の臀部回りにガスケット作用を生じてピッタリフィットさせる。この弾性部材１４は、好ましくは、弾性的に伸張した状態において伸縮性脚カフ１２に固着され、正常の拘束されない状態においては、伸縮性脚カフ１２の折り返し部分１３を収縮させまたは寄せる。弾性部材１４の長さは一般におしめの設計によって決定される。弾性部材１４は、図２に示すように股部分２ｂにおいて伸縮性脚カフ１２の実質的に全長に沿って延在するが、他の長さであってもよい。
【００２９】
図２と図３に示すように、弾性部材１４は、伸縮性脚カフ１２の折り返し部分１３の中に弾性取付け手段１８によって固着される。この弾性取付け手段１８は可撓性であって、弾性部材１４を伸長した状態に保持できる接着性を有する。弾性部材１４はその端部においてのみ伸縮性脚カフ１２に固着することもできるが、弾性部材１４の全長を伸縮性脚カフ１２に固着することが好ましい。弾性取付け手段１８は、たとえば、ホットメルト接着剤からなる接着剤ビードである。この弾性部材１４は，伸縮性カフ１２に超音波接合または感圧／加熱シールすることで固着したり、単に接着剤を用いて接着することもできる。好ましい弾性部材１４は，０．１８ｍｍ×１．５ｍｍの断面積の天然ゴム製条体である。他の適当な弾性部材１４としては、たとえばエラストマーフィルム、ポリウレタンフィルム、リクラ、弾性フォームや発泡弾性スクリムがある。好ましい実施態様において、弾性部材１４と弾性取付け手段１８は、厚さ０．００１３ｍｍの延伸された接着剤ストリップである。
【００３０】
さらに、弾性部材１４は，各種の形状をとることができる。たとえば、弾性部材１４の幅は各種各様であり、また弾性材料の１本のストランドまたは数本の相互に平行なまたは不平行のストランドとし、または直線形または曲線形とすることができる。
【００３１】
伸縮性脚カフ１２の折り返し部分１３をサイドフラップ１０から離間する手段１４は、他の要素を含むことができる。たとえば、伸縮性脚カフ１２の中にまたはその上に剛性化手段を配置することである。剛性化手段は、折り返し部分１３の端部がサイドフラップ１０から離間される程度に剛性でなければならない。剛性化手段として適当な材料は、フォーム、不織布、ポリエチレンフィルム、発泡フィルム、スプレー接着剤、発泡エラストマー、ポリエステル、ポリウレタン、またはハイロフト材料を含む。
【００３２】
上記サイドフラップ１０に設けた弾性体３０は、上記弾性部材１４と同様に０．１８ｍｍ×１．５ｍｍの断面積の２本の天然ゴム製条体３１，３１から形成されるが、この条体は、エラストマーフィルム、ポリウレタンフィルム、リクラ、弾性フォームや発泡弾性スクリムがあっもよい。また、この天然ゴム製条体３１は、弾性取付け手段３２によってサイドフラップ１０のトップシート７より側方に延びるバックシート９の上に固着される。この弾性取付け手段３２は可撓性であって、天然ゴム製条体３１を伸長した状態に保持できる接着性を有する。弾性取付け手段３２は、たとえば、ホットメルト接着剤からなる接着剤ビードである。好ましくは、弾性体３０の条体３１は、弾性部材１４の長さにほぼ等しく、弾性部材１４に並列して配置される。
【００３３】
この弾性体３０は，バックシート９に超音波接合または感圧／加熱シールすることで固着したり、単に接着剤を用いて接着することもできる。好ましい実施態様において、天然ゴム製条体３１と弾性取付け手段３２は、厚さ０．００１３ｍｍの延伸された接着剤ストリップである。
【００３４】
上記立ち上がりバリヤカフ１１は、上記伸縮性脚カフ１２と同様に内側に折り曲げられる折り返し部２０を有し、この折り返し部２０に単数または複数の離間用弾性部材２１（図２では２本）が配置されている。立ち上がりバリヤカフ１１は、このバリヤカフに沿ってトップシート７との間にチャンネル２２を形成する。このチャンネル２２は、おしめ１の中に排泄物を収容し、保持しまた保留する。すなわち、立ち上がりバリヤカフ１１の折り返し部２０は、端部がトップシート７から離間される程度の収縮性を備えている。立ち上がりバリヤカフ１１は、ポリプロピレン、ポリエステル、レーヨン、ナイロン、フォーム、プラスチックフィルム、成形フィルム、弾性フォームなどの材料から製造される。また、立ち上がりバリヤカフ１１を製造するために種々の技術が用いられる。たとえば、立ち上がりバリヤカフ１１は、織布、不織布、スパンボンディッドウエブ、カーディッドウエブまたは類似のウエブとすることができる。特に好ましい立ち上がりバリヤカフ１１は、不透液性とするために仕上げ面を含まないポリプロピレンから形成される。好ましい実施態様においては、立ち上がりバリヤカフ１１は伸縮性脚カフ１２と同一部材または同一材料から形成される。
【００３５】
立ち上がりバリヤカフ１１は、図３ないし図５に示すように、折り返し部２０の内側部分２３の先端部２４は、伸縮性脚カフ１２の折り返し部１３の内側部分１３ａの下側に重なるように位置する。また、折り返し部２０の内側部分２３の先端部２４は、サイドフラップ１０のトップシート７の上に接合される。そのため、排泄物、特に容易に吸収されずトップシート７に沿って浮動する傾向のある糞は、伸縮性脚カフ１２に接触するまでに立ち上がりバリヤカフ１１のチャンネル部分２２と接触する。立ち上がりバリヤカフ１１と伸縮カフ性脚１２による排泄物の流れに対する有効な二重拘束手段が形成される。
【００３６】
立ち上がりバリヤカフ１１の折り返し部２０の端部と内側部分２３の先端部２４は、相互に離間配置されて、立ち上がりバリヤカフ１１の有効幅を限定する。立ち上がりバリヤカフ１１の折り返し部端と内側端は相互に平行、非平行、直線または曲線関係にある。各立ち上がりバリヤカフ１１は、図２ないし図４に示すのように、円形、正方形、長方形またはその他任意の断面形状とすることができる。好ましくは、均一有効幅を有する立ち上がりバリヤカフ１１が形成されるように折り返し部端と内側端は平行直線関係に配置される。
【００３７】
立ち上がりバリヤカフ１１の折り返し部２０は、少なくともおしめ１の股部分２ｂにおいてトップシート７から離間されるよう位置されることが好ましい。立ち上がりバリヤカフ１１がチャンネル２２を形成しておしめの収容量を増大するように、折り返し部２０をはトップシート７から離間されることが好ましい。
【００３８】
立ち上がりバリヤカフ１１は、好ましくは疎水性とし、さらに好ましくは排泄物の通過を防止するように不透液性とする。立ち上がりバリヤカフ１１は、業界公知の方法により、たとえば、選択的に処理することや別個の材料を固着することにより不透液性される。立ち上がりバリヤカフ１１に吸収性手段を設けることができる。
【００３９】
図３ないし図５に示すおしめ１の好ましい実施態様においては、各立ち上がりバリヤカフ１１は、バックシート９をトップシート７より幅方向に長くしたサイドフラップ１０のトップシート７接合される。ここで接合とは、立ち上がりバリヤカフ１１がサイドフラップ１０に対して直接にまたは間接に取付けられた別個の部材である場合と立ち上がりバリヤカフ１１がおしめ１と同一部材または同一材料からなりサイドフラップ１０と一体構造をなすものも含む。好ましい実施態様においては、立ち上がりバリヤカフ１１と伸縮性カフ１２はサイドフラップ１０と一体構造とする。
【００４０】
立ち上がりバリヤカフ１１とサイドフラップ１０は、立ち上がりバリヤカフ１１の一部をバックシート９に直接に固着することや、立ち上がりバリヤカフ１１を介在部材に固着しこの介在部材をバックシート９に固着することにより接合されていてもよい。好ましい実施態様においては、立ち上がりバリヤカフ１１とサイドフラップ１０は、接着剤またはその他任意の取付け手段、例えば加熱／加圧密封、超音波接合またはその他業界公知の手段によって直接に相互に接合される。このシール手段は好ましくは伸縮性脚カフ１２をサイドフラップ１０に接合するシール手段と同一型の手段である。
【００４１】
立ち上がりバリヤカフ１１の折り返された内側部分をサイドフラップ１０に接合するシール手段は、漏れ抵抗シール部を構成し、トップシート７を通る液体滲透に対するバリヤをなし、液体が立ち上がりバリヤカフ１１の下からおしめの縁に滲透することを防止する。
【００４２】
上記立ち上がりバリヤカフ１１の折り返し部２０に設けた単数または複数の離間用弾性部材２１は、立ち上がりバリヤカフ１１を寄せ、収縮させ、短縮させ、または立ち上がりバリヤカフ１１を立ち上がらせてチャンネル２２を形成してし排泄物の漏れに対するバリヤとして作用させる任意手段である。この離間用弾性部材２１は、弾性伸張状態において立ち上がりバリヤカフ１１に固着されるので、通常の非拘束状態においては離間弾性部材２１は，立ち上がりバリヤカフ１１の折り返し部２０収縮させまたは寄せる。
【００４３】
離間弾性部材２１は、全体としておしめの設計によって決定される。図２の好ましい実施態様においては、離間弾性部材２１は股区域２ｂにおいて立ち上がりバリヤカフ１１の実質的に全長にそって延在する。最も好ましい実施態様においては、離間弾性部材２１は股部分２ｂを越えて、おしめの端縁近くまで延在し、立ち上がりバリヤカフ１１をトップシート７から最も効果的に離間する。
【００４４】
図３に示すように、離間弾性部材２１は、離間弾性取付け手段２５，２５によって折り返し部２０の内側に固着される。最適な離間弾性部材２１は、０．１８ｍｍ×１．５ｍｍの断面積の天然ゴムから製造された弾性ストランドである。離間弾性部材２１は業界公知の任意の熱収縮性弾性材料であってもよい。他の適当な弾性材料としては、たとえば、エラストマーフィルム、ポリウレタンフィルム、エラストマーフォームがある。好ましい実施態様においては、離間弾性部材２１および弾性取付け手段２５は、厚さ０．５ｍｍの延伸接着性ストリップである。
【００４５】
立ち上がりバリヤカフ１１の折り返し部端をトップシート７から離間させる好ましい離間弾性部材２１は伸縮性カフ１２の離間手段について前述したような数種の他の要素を含むことができる。
【００４６】
立ち上がりバリヤカフ１１の折り返し部２０をトップシート７に固着するための閉鎖手段２６（図５）は、着用者に対して快適なフィットを生じ、かつ、おしめの着用中および使用中に折り返し部２０の反転を防止する。ここで、反転とは、内側に配置された折り返し部２０がおしめの着用中に外側に回転することをいう。閉鎖手段２６は、たとえば、ホットメルト接着剤であるが、超音波接合または加熱／加圧シールなど業界公知の他の閉鎖手段であってもよい。
【００４７】
上記サイドパネル３は、使い捨て衣類の快適性を増進し最初に輪郭に合致することによってフィット性を高め、衣類の側面を拡張または収縮させることでフィットを保持する。
【００４８】
各サイドパネル３は、全体として、サイドフラップ１０の端部側縁から脚開口４をなす脚縁まで延在する。図２に示すように、バックシート９は、両側縁５０と、両端縁５１を有する長方形状をなしており、両側縁５０の前部２ａおよぴ後部２ｃ付近に両側縁５０から外方に突き出るように略台形状のサイドパネル３が取り付けられている。このサイドパネル３は、横方向に所望の弾性延伸性を具有している。ここで弾性延伸性とは、引張り力（代表的には横方向引張り力）が加えられた時に、少なくとも一方向に（好ましくは横方向に）延長され、引張り力が除去された時にその最初のサイズおよび形状まで戻ることである。
【００４９】
上記サイドシーム６は、サイドパネル３の同じ側に位置する前部２ａの側縁と後部２ｃの側縁とを相互に接合することによって形成される。このサイドシーム６は、たとえば、サイドパネル３の側面区域の外側に突出する部分を相互に接合して、公知の継ぎ目形状手段により側に突出するフィン継ぎ目を形成することにより形成される。このサイドシーム６は、超音波接合、加熱密封、接着剤接合によって形成することもできる。
【００５０】
しかして、パンツ型おしめ１の着用に際しては、パンツ型おしめ１の脚開口４に着用者の脚を上方から入れ、パンツ型おしめ１を着用者の脚に沿って所定位置まで上方に滑らせることによって行なわれるが、図６に示すように、サイドフラップ１０に設けた弾性体３０が着用者の脚を股に近い部位に弾性的にフィットし、この弾性体３０より外側に位置する伸縮性脚カフ１２が着用者の脚の弾性体３０より下側に弾性的にフィットするので、パンツ型おしめ１の脚開口４付近で、着用者の脚を２点で弾性的にフィットすることになり、したがって、伸縮性脚カフ１２は、着用者の脚に脚回りのギャップを少なくした状態で配置され、十分幅の弾性脚開口を備えながら、脚開口に沿ったガスケット作用を改良して、脚回りからの液漏れを防ぐことができる。
【００５１】
また、このように着用者の脚を２点で弾性的にフィットすることで、伸縮性脚カフ１２が内側に折り込まれることはなく、吸収体２に排泄物が排泄保持された場合にも、吸収体２はたるんだ状態になることなく着用者の股部分に保持される。
【００５２】
さらに、図２に示すように、サイドパネル３は、サイドフラップ１０に取付けられているため、サイドパネル３の幅Ｘを伸縮性脚カフ１２の幅とは無関係に設定することができ、腰周りにおける動的フィットを十分に確保できる。
【００５３】
【発明の効果】
以上述べたように本発明によれば、サイドフラップに設けた弾性体と伸縮性脚カフにより、吸収性製品の脚開口付近を２点で弾性的にフィットするので、伸縮性脚カフは着用者の脚に脚回りのギャップを少なくした状態で配置され、脚回りからの液漏れを防ぎ、また、伸縮性脚カフが内側に折り込まれることがなく、しかも、吸収体に排泄物が排泄保持された場合にも、吸収体を着用者の股部分に保持する。さらに、サイドパネルは、サイドフラップに取付けられるため、サイドパネルの幅を伸縮性脚カフの幅に無関係に設定することができ、腰周りにおける動的フィットを十分確保できる。
【図面の簡単な説明】
【図１】本発明による脚閉鎖部を有する吸収性製品を使い捨てパンツ型おしめに適用した例を示す斜視図。
【図２】図１の使い捨てパンツ型おしめの一部を破いて示す展開図。
【図３】図２の３−３線に沿った断面図。
【図４】図２の４−４線に沿った断面図。
【図５】第２図の５−５線に沿った断面図。
【図６】図１の使い捨てパンツ型おしめの使用状態を示す図。
【図７】図２のサイドパネル部分の拡大図。
【符号の説明】
１  使い捨てパンツ型おしめ
２ａ  前部
２ｂ  股部
２ｃ  後部
３  サイドパネル
４  脚開口部
５  脚カフス
７  トップシート
８  吸収体コア
９  バックシート
１０  サイドフラップ
１１  立上がりバリヤカフ
１２  伸縮性脚カフ
１３  折り返し部
１４  弾性部材
３０  弾性体
３１  条体
３２  弾性取付け手段
【図１】
0003830545.tif 000002
【図２】
0003830545.tif 000003
【図３】
0003830545.tif 000004
【図４】
0003830545.tif 000005
【図５】
0003830545.tif 000006
【図６】
0003830545.tif 000007
【図７】
0003830545.tif 000008